(57)【要約】【課題】表示部とケースとの防塵構造が容易に得られる計器を実現する。【解決手段】ケースに収められた内器本体に平行リンクを介して取り付けられ内器本体からスイングアップ・スイングダウンする表示部を有する計器において、前記表示部と前記ケースの前面とを係止する係止手段を具備したことを特徴とする計器である。【選択図】図１
2008139211.tif 000002
【特許請求の範囲】
【請求項１】
ケースに収められた内器本体に平行リンクを介して取り付けられ内器本体からスイングアップ・スイングダウンする表示部を有する計器において、
前記表示部と前記ケースの前面とを係止する係止手段
を具備したことを特徴とする計器。
【請求項２】
前記係止手段は、前記表示部の下端に設けられた表示部ラッチと、
前記ケースに設けられ前記表示部ラッチを係止するケース爪と
を具備したことを特徴とする請求項１記載の計器。
【請求項３】
前記ケースの前面に設けられ前記ケースの前面と表示部との接触部を防水する防水手段
を具備したことを特徴とする請求項１又は請求項２記載の計器。
【請求項４】
前記防水手段は、ガスケットが使用されたこと
を特徴とする請求項３記載の計器。
【発明の詳細な説明】
【技術分野】
【０００１】
本発明は、表示部とケースとの防塵構造が容易に得られる計器に関するものである。
【背景技術】
【０００２】
計器に関連する先行技術文献としては次のようなものがある。
【０００３】
【特許文献１】実開平５−０３３０１９公報
【０００４】
図４は従来より一般に使用されている従来例の要部構成説明図で、図５は図４の要部詳細説明図で、（ａ）は平面図、（ｂ）は（ａ）のＡ−Ａ断面図である。
【０００５】
ケース１には、図４，図５（ａ）に示す如き、ガイドレールラッチ２が設けられている。ガイドレールラッチ２は鉛直方向に撓み、内器本体であるメインプリント基板３のエッジ部４を係止する。
内器本体３は、エッジ部４と内器本体後端に設けられたコネクタ（図示せず）により固定される。
【０００６】
表示部５は、内器本体３に平行リンク６を介して取り付けられ、内器本体３からスイングアップ・スイングダウンする。
表示部５は、表示部５に設けられた表示部ラッチ７が、内器本体３に取り付けられたブラケット８の内器ブラケット穴９に係止されて、係止固定される。
【０００７】
以上の構成において、図５（ｂ）に示す如く、表示部５をケース１からスイングアップするには、内器３に設けられた内器ブラケット穴９から、表示部ラッチ７を外し、一点鎖線に示すごとく、スイングアップする。
表示部５をケース１に固定するには、図５（ｂ）に示す如く、表示部５をスイングダウンして、内器３に設けられた内器ブラケット穴９に、表示部ラッチ７を係止して固定する。
【発明の開示】
【発明が解決しようとする課題】
【０００８】
このような装置においては、以下の間題点がある。
内器３とケース１との位置関係は、内器後端のコネクタ（図示せず。）と、メイン基板のエッジ部４とガイドレールラッチ２とで決まる。
更に、表示部５と内器３との関係は、表示部５に設けられた表示部ラッチ７と、内器３の前面に取り付けられたブラケット８の係止穴９との寸法関係で決まる。
【０００９】
いま、表示部５とケース１との間で、防塵構造をとろうとしても、ブラケット８と基板３、基板３とガイドレールラッチ２、ガイドレールラッチ２とケース１との間等の寸法誤差を生じ得る箇所が多いため、寸法誤差が大きくて、防塵構造を得ることは困難である。
【００１０】
本発明の目的は、上記の課題を解決するもので、表示部とケースとの防塵構造が容易に得られる計器を提供することにある。
【課題を解決するための手段】
【００１１】
このような課題を達成するために、本発明では、請求項１の計器においては、
ケースに収められた内器本体に平行リンクを介して取り付けられ内器本体からスイングアップ・スイングダウンする表示部を有する計器において、前記表示部と前記ケースの前面とを係止する係止手段を具備したことを特徴とする。
【００１２】
本発明の請求項２の計器においては、請求項１記載の計器において、
前記係止手段は、前記表示部の下端に設けられた表示部ラッチと、前記ケースに設けられ前記表示部ラッチを係止するケース爪とを具備したことを特徴とする。
【００１３】
本発明の請求項３の計器においては、請求項１又は請求項２記載の計器において、
前記ケースの前面に設けられ前記ケースの前面と表示部との接触部を防水する防水手段を具備したことを特徴とする。
【００１４】
本発明の請求項４の計器においては、請求項３記載の計器において、
前記防水手段は、ガスケットが使用されたことを特徴とする。
【発明の効果】
【００１５】
本発明の請求項１によれば、次のような効果がある。
表示部とケースの前面とを係止する係止手段が設けられたので、表示部が内器本体を介してケースの前面に接することなく、直接にケースの前面に係止されるので、容易に防塵構造が出来る計器が得られる。
【００１６】
表示部とケースの前面とを係止する係止手段が設けられたので、表示部が内器本体を介してケースの前面に接することなく、直接にケースの前面に係止されるので、従来例の如く、表示部は，表示部ラッチと内器本体のブラケットに設けられた係止穴との係止手段、次に、内器本体のメイン基板のエッジ部とケースに設けられたガイドレールラッチとの係止手段とによって、ケースに係止される必要は無く、係止手段を１個省略出来、安価な計器が得られる。
【００１７】
本発明の請求項２によれば、次のような効果がある。
係止手段は、表示部の下端に設けられた表示部ラッチと、ケースに設けられ表示部ラッチを係止するケース爪とが設けられたので、表示部とケース前面の、係止と係止解除とが容易に出来る計器が得られる。
【００１８】
本発明の請求項３によれば、次のような効果がある。
ケースの前面に防水手段が設けられたので、表示部が内器本体を介してケースの前面に接することなく、直接にケースの前面に係止されるので、容易に防水構造が出来る計器が得られる。
【００１９】
本発明の請求項４によれば、次のような効果がある。
防水手段は、ガスケットが使用されたので、ガスケットは市場性があり、容易に安価に入手できるので、安価な計器が得られる。
【発明を実施するための最良の形態】
【００２０】
以下本発明を図面を用いて詳細に説明する。
図１は本発明の一実施例の要部構成説明図、図２は図１の要部詳細説明図で、（ａ）は平面図、（ｂ）は（ａ）のＢ―Ｂ断面図、図３は図１の部品説明図である。
図において、図４，図５と同一記号の構成は同一機能を表す。
以下、図４，図５との相違部分のみ説明する。
【００２１】
図１において、係止手段１１は、表示部１２とケース１３の前面１４とを係止する。
この場合は、係止手段１１は、表示部１２の下端に設けられた表示部ラッチ１５と、ケース１３に設けられ、表示部ラッチ１５を係止するケース爪１６とを有する。
図１に、表示部ラッチ１５の三面図と斜視図とを示す。（ａ）は正面図、（ｂ）は平面図、（ｃ）は側面図、（ｄ）は斜視図である。
【００２２】
なお、この場合は、防水手段１７は、ケースの前面１４に設けられている。
そして、この場合は、防水手段１７は、ガスケット１７が使用されている。
１８は、ケース１３に取り付けられた内器本体で、この場合は、プリント基板が使用されている。
【００２３】
以上の構成において、図２（ｂ）に示す如く、表示部１２をケース１３からスイングアップするには、ケース１３に設けられたケース爪１６から、表示部ラッチ１５を外し、一点鎖線に示すごとく、スイングアップする。
表示部１２をケース１３に固定するには、図２（ｂ）に示す如く、表示部１２をスイングダウンして、ケース１３に設けられたケース爪１６に、表示部ラッチ１５を係止して固定する。
【００２４】
この結果、表示部１２とケースの前面１４とを係止する係止手段１１が設けられたので、表示部１２が内器本体１８を介してケースの前面１４に接することなく、直接にケースの前面１４に係止されるので、容易に防塵構造が出来る計器が得られる。
【００２５】
表示部１２とケースの前面１４とを係止する係止手段１１が設けられたので、表示部１２が内器本体を介してケースの前面１４に接することなく、直接にケースの前面１４に係止されるので、従来例の如く、表示部５は，表示部ラッチ７と内器本体３のブラケット８に設けられた係止穴９との係止手段、次に、内器本体３のメイン基板のエッジ部４とケース１に設けられたガイドレールラッチ２との係止手段とによって、ケース１に係止される必要は無く、係止手段を１個省略出来、安価な計器が得られる。
【００２６】
係止手段１１は、表示部１２の下端側に設けられた表示部ラッチ１５と、ケース１３に設けられ表示部ラッチ１５を係止するケース爪１６とが設けられたので、表示部１２とケース前面１４の、係止と係止解除とが容易に出来る計器が得られる。
【００２７】
ケースの前面に防水手段１７が設けられたので、表示部１２が内器本体１８を介してケースの前面１４に接することなく、直接にケースの前面１４に係止されるので、容易に防水構造が出来る計器が得られる。
【００２８】
防水手段１７は、ガスケットが使用されたので、ガスケットは市場性があり、容易に安価に入手できるので、安価な計器が得られる。
【００２９】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００３０】
【図１】本発明の一実施例の要部構成説明図である。
【図２】図１の要部詳細説明図で、（ａ）は平面図、（ｂ）は（ａ）のＢ―Ｂ断面図である。
【図３】図１の部品説明図である。
【図４】従来より一般に使用されている従来例の構成説明図である。
【図５】図４の要部詳細説明図で、（ａ）は平面図、（ｂ）は（ａ）のＡ−Ａ断面図である。
【符号の説明】
【００３１】
１      ケース
２      ガイドレールラッチ
３      内器本体
４      エッジ部
５      表示部
６      平行リンク
７      表示部ラッチ
８      ブラケット
９      内器ブラケット穴
１１    係止手段
１２    表示部
１３    ケース
１４    前面
１５    表示部ラッチ
１６    ケース爪
１７    防水手段（ガスケット）
１８    内器本体
【図１】
2008139211.tif 000003
【図２】
2008139211.tif 000004
【図３】
2008139211.tif 000005
【図４】
2008139211.tif 000006
【図５】
2008139211.tif 000007